(57)【特許請求の範囲】
【請求項１】
圧力を有する内容物を充填するための容器と、
前記容器の開口部を覆うようにしてネジ嵌合によって装着され、吐出孔が設けられたキャップと、
前記容器の開口部内に設けた環状の段部とキャップとの間に装着される弁体と、
前記容器の開口部とキャップとの間で水平方向に圧縮されるシール材とを備えており、
前記キャップは、外部からの回転操作によって前記容器に対して容器の軸方向に移動可能であり、
前記容器の開口部の外周に、シール材を保持するシール係止部が設けられ、
前記キャップの内面に、シール材を水平方向に圧縮しながらキャップの上下動を許す円筒部が形成されており、
前記キャップを一方向に回転させて前記容器に近づく方向に移動させることにより、前記弁体が前記キャップと前記段部の間で挟まれ、段部の中心の開口孔を閉じる位置で固定される閉鎖状態を呈し、
前記キャップを他方向に回転させて前記容器から離れる方向に移動させることにより、前記弁体が前記キャップと前記段部との間で解放され、開口孔を開放する開放状態を呈する、
吐出容器。
【請求項２】
前記キャップの上底に、前記吐出孔と、その吐出孔を囲む支持部とが設けられ、
その支持部が、開放状態の弁体が吐出孔を塞がないように弁体を支持するものであり、
前記支持部に内容物を通すスリットが形成されている、請求項１記載の吐出容器。
【請求項３】
前記弁体が球体である、請求項１または２記載の吐出容器。
【請求項４】
前記容器の開口部とキャップとの間に、キャップの離脱を防止するセーフロックが設けられている、請求項１〜３いずれか記載の吐出容器。
【発明の詳細な説明】
【技術分野】
【０００１】
本発明は吐出容器に関する。
【背景技術】
【０００２】
特許文献１の図３には、内容物を充填する容器と、その開口部を覆うキャップと、容器の開口部とキャップとの間に装着される逆止弁とを備えた吐出容器が開示されている。逆止弁は、ボール弁と、そのボール弁を常時容器の開口部方向に付勢するバネとからなる。つまり、容器を圧縮し、内容物に圧力を加えることにより、内容物がバネに抗ってボール弁を上昇させて容器の開口部を開き、それによって開放された通路を通って外部に吐出されるものである。この吐出容器は、内容物の吐出が非常に簡単にできる。
【先行技術文献】
【特許文献】
【０００３】
【特許文献１】特開２０１３−９１７６２号公報
【発明の概要】
【発明が解決しようとする課題】
【０００４】
しかし、特許文献１の図３の吐出容器は、容器内の内容物が加圧されると内容物が吐出されるため、不意な外力が容器に加えられるだけで内容物が吐出されてしまう。例えば、搬送の時には必要以上に注意が必要となる。
本発明は、簡易な操作で内容物を吐出することができ、吐出時および吐出後に内容物の漏れがない新しい構造の吐出容器を提供することを目的としている。
【課題を解決するための手段】
【０００５】
本発明の吐出容器は、圧力を有する内容物を充填するための容器と、前記容器の開口部を覆うようにして装着され、吐出孔が設けられたキャップと、前記容器の開口部とキャップとの間に装着される弁体と、前記容器の開口部とキャップとの間で水平方向に圧縮されるシール材とを備えており、前記キャップは、外部操作によって前記容器に対して容器の軸方向に移動可能であり、前記キャップを前記容器に近づく方向に移動させることにより、前記弁体が前記キャップと前記容器の開口部との間の前記容器の開口孔を閉じる位置で固定される閉鎖状態を呈し、前記キャップを前記容器から離れる方向に移動させることにより、前記弁体が前記キャップと前記容器の開口部との間で解放される開放状態を呈することを特徴としている。
【０００６】
このような吐出容器であって、前記キャップが前記容器の開口部にネジ嵌合で装着されているものが好ましい。しかし、前記キャップが前記容器の開口部にクリップ嵌合で装着されていてもよい。
このような吐出容器であって、前記容器の開口部とキャップとの間に、キャップの離脱を防止するセーフロックが設けられているものが好ましい。
【発明の効果】
【０００７】
本発明の吐出容器は、圧力を有する内容物を充填するための容器と、前記容器の開口部を覆うようにして装着され、吐出孔が設けられたキャップと、前記容器の開口部とキャップとの間に装着される弁体と、前記容器の開口部とキャップとの間で水平方向に圧縮されるシール材とを備えており、前記キャップは、外部操作によって前記容器に対して容器の軸方向に移動可能であり、前記キャップを前記容器に近づく方向に移動させることにより、前記弁体が前記キャップと前記容器の開口部との間の前記容器の開口孔を閉じる位置で
固定される閉鎖状態を呈し、前記キャップを前記容器から離れる方向に移動させることにより、前記弁体が前記キャップと前記容器の開口部との間で解放される開放状態を呈するため、キャップへの簡単な操作で内容物の吐出／停止ができる。つまり、キャップを容器から離れる方向に移動させると、キャップと容器の開口部との間で弁体が開放され、容器内の圧力を有する内容物が弁体を押し前記容器の開口孔を開き、吐出孔より吐出される。一方、キャップを容器に近づく方向に移動させると、キャップと容器の開口部との間の容器の開口孔を閉じる位置で弁体が固定されるので、内容物の吐出を停止できる。さらに、開閉操作によりキャップを容器に対して軸方向に移動させても、シール材は容器の開口部とキャップとの間で水平方向に圧縮されているためシールを維持することができ、キャップと容器との間から内容物が漏れない。
【０００８】
本発明の吐出容器であって、キャップが容器の開口部にネジ嵌合で装着されている場合、キャップを回転させるだけで内容物の吐出／停止操作ができる。
また、キャップが前記容器の開口部にクリップ嵌合で装着されている場合、キャップを容器に対して容器の軸方向に引く／押すだけで内容物の吐出／停止操作ができる。
本発明の吐出容器であって、容器の開口部とキャップとの間に、キャップの離脱を防止するセーフロックが設けられている場合、キャップへの吐出／停止操作で、キャップが容器から離脱することがない。
【図面の簡単な説明】
【０００９】
【図１】本発明の吐出容器の一実施形態を示す断面図である。
【図２】図１の吐出容器の開放状態を示す断面図である。
【図３】本発明の吐出容器の他の実施形態を示す断面図である。
【図４】図４ａ、ｂはそれぞれ本発明の吐出容器のさらに他の実施形態の閉鎖状態および開放状態を示す断面図である。
【図５】図５ａ、ｂはそれぞれ本発明の吐出容器のさらに他の実施形態の閉鎖状態および開放状態を示す断面図である。
【図６】図６ａ、ｂはそれぞれ本発明の吐出容器のさらに他の実施形態の閉鎖状態および開放状態を示す断面図である。
【発明を実施するための形態】
【００１０】
図１に示す吐出容器１０は、圧力を有する内容物を充填することができる容器１１と、その容器１１の開口部を覆うようにして装着されるキャップ１２と、その容器１１の開口部とキャップ１２との間に装着される弁体１３と、その容器１１の開口部の外周面とキャップ１２の内周面との間で水平方向に圧縮されるシール材１４とを備えている。
この吐出容器１０に圧力を有する内容物Ｃを充填して吐出製品となる。
この吐出容器１０は、外部操作によってキャップ１２を容器１１に対して上下に移動させることにより、弁体１３がキャップ１２と容器１１の開口部との間の容器１１の開口孔を閉じる位置で固定された閉鎖状態と、弁体１３がキャップ１２と容器１１の開口部との間で開放された開放状態との切替ができる。
【００１１】
容器１１は、可撓性を有する容器本体１６と、その容器本体１６を閉じるようにして挿入される弁座１７とを備えている。
容器本体１６は、筒状の胴部１６ａ、その上端に設けられたテーパー状の肩部１６ｂと、その上端に設けられた筒状の首部１６ｃとからなるチューブ容器である。胴部１６ａの下端は、溶着または接着されて閉じられている。首部１６ｃの外周には、外周突起１８が螺旋状に形成されており、その下方にシール材１４を保持するシール係止部１９が形成されている。シール係止部１９は、シール材１４を上下で挟むように環状に形成された２本の突起１９ａからなる。なお、環状の凹部としてもよい。シール材１４を後述するキャップ１２との間で、半径方向に圧縮できるように固定されれば、特にその構造は特定される
ものではない。
このような容器本体１６は、ポリエチレンなどの合成樹脂、アルミニウムなどの軽金属等から成形される。例えば、合成樹脂の場合は押出成型にて筒状体にして、その筒状体内に空気を吹き込んで成形するブロー成型にて成形することができる。また、軽金属の場合はインパクト成形により成形することができる。さらに、合成樹脂のシートとアルミニウムのシートを重ね、その周囲を貼り合わせたり溶着したりして成形してもよい。なお、容器本体の首部１６ｃおよび肩部１６ｂと弁座１７とを一体に成形し、肩部１６ｂの下端に合成樹脂製のシートまたは金属箔製のシートを巻いて容器１１を成形してもよい。
【００１２】
弁座１７は、弁体１３を収容する筒状体であり、その上端外周には半径方向外側に突出したフランジ部１７ａが設けられており、その下端内周には半径方向内側に突出した環状の段部１７ｂが形成されている。
この弁座１７は、フランジ部１７ａが容器１６の首部１６ｃの上端に支持され、首部１６ｃ内に吊るすようにして配置される。容器本体１６の首部１６ｃと弁座１７によって、容器１１の開口部が形成される。そして、この段部１７ｂの中心孔が容器１１の開口孔となる。
このような弁座１７は、ポリエチレン、ポリプロピレン、ポリエチレンテレフタレート、ナイロン、ポリアセタールなどの合成樹脂から成形される。
【００１３】
キャップ１２は、上底１２ａを備えた筒体である。上底１２ａの中心には、吐出孔２０が形成されており、上底１２ａの下面には、弁体１３を支持する支持部２１が形成されている。支持部２１は、下面から下方に突出した筒体である。支持部２１には、スリット２１ａが形成されている。このスリット２１ａは、弁体１３を支持部２１で支持しているとき、内容物を支持部２１の外部から内部に通すためのものである。キャップ１２の内側面には、容器本体１６の外周突起１８と螺合する内周突起２２が螺旋状に形成されており、内周突起２２の下方は鉛直方向に真っ直ぐに延びた円筒部２３となっている。この円筒部２３は、シール材１４を外側から圧縮する部位である。
このようなキャップ１２は、ポリエチレン、ポリプロピレン、ポリエチレンテレフタレート、スチレンブタジエン共重合体などの合成樹脂から成形される。
【００１４】
弁体１３は、ボール弁である。この弁体１３は、容器１１の開口孔を気密に閉じるように設計されている。なお、平らなディスク弁を用いてもよく、容器１１の開口孔を閉じることができれば、特にその形状は限定されない。
シール材１４は、Ｏリングである。シール材１４は、容器本体１６の環状の２つの突起１９ａの間に保持され、突起１９ａの間のまっすぐな側壁（首部１６ｃの外周面）とキャップ１２の円筒部２３のまっすぐな内面との間で水平方向に圧縮され、かつ、キャップ１２の上下移動時にその円筒部２３を摺動するように構成されている。しかし、シール材１４は、キャップ１２の内面に保持され、キャップ１２の上下移動時に容器本体１６の首部１６ｃを摺動するように構成されてもよい。
【００１５】
このように構成された吐出容器１０は、図１のようにキャップ１２を奥深くまで螺進させてキャップ１２を下方に移動させることにより弁体１３がキャップ１２の支持部２１と容器１１の開口部（段部１７ｂ）との間の容器１１の開口孔を閉じる位置で固定される（吐出容器１０の閉鎖状態）。詳しくは、弁体１３が、キャップ１２の支持部２１の下端と弁座１７の段部１７ｂとで挟まれて固定される。
次いで、図２のようにキャップ１２を開くように回転させてキャップ１２を上方に移動させることによりキャップ１２と容器１１の開口部との間の空間が拡張され、弁体１３が開放される（吐出容器１０の開放状態）。このとき、容器１１内に圧力を有する内容物Ｃが充填されているため、自動的に、あるいは、軽く容器本体１６を押しつぶすことにより、弁体１３は内容物Ｃによって上方に押され、弁座１７の段部１７ｂから離れてキャップ
１２の支持部２１に支持される。つまり、容器１１の開口孔が開かれる。そのため、内容物Ｃが容器１１の開口孔から支持部２１のスリット２１ａを介して吐出孔２０から吐出される（図２の矢印参照）。なお、閉鎖状態から開口状態へとキャップ１２が上方に移動している間、容器１１に保持されたシール材１４は、半径方向に圧縮された状態でキャップ１２の円筒部２３の内面を摺動するため、キャップ１２の下端から内容物Ｃが液漏れすることがない。そして、キャップ１２を奥深く螺進させ下方に移動させることにより、吐出容器１０は、再度、閉鎖状態になる。このように吐出容器１０はキャップ１２を操作するだけで開閉することができ、繰り返しの使用が可能なものである。
【００１６】
この吐出容器１０に充填される圧力を有する内容物Ｃとは、原液と噴射剤が乳化や溶解などにより混ざり圧力を有するものである。例えば、原液にイソペンタンなどの低沸点溶剤やブタンなどの液化ガスを加えたものが挙げられる。
原液としては、シェービング、保湿、アンチエイジング、クレンジングなどのスキンケア用、消炎鎮痛剤、鎮痒剤、水虫薬などの医薬品用のクリームやゲルなどが挙げられる。
【００１７】
図３の吐出容器３０は、容器３１を２層構造のものとしている。つまり、容器３１は、外容器３２と、その内部に収容される内容器３３と、外容器３２および内容器３３を閉じるようにして挿入される弁座３４とを備えている。そして、内容器３３内に原液Ｓが充填され、外容器３２と内容器３３の間の空間に加圧剤Ｐが充填されたものである。この吐出容器３０における圧力を有する内容物とは、可撓性の内容器３３に充填された原液Ｓを、外容器３２と内容器３３の間の空間に充填した加圧剤Ｐ（窒素ガスなどの圧縮ガスや液化ガス）により常時加圧したものになる。他の構成は、図１の吐出容器１０と実質的に同じであり、キャップ１２、弁体１３、シール材１４を備えている。
【００１８】
外容器３２は、実質的に図１の吐出容器１０の容器本体１６と同じものである。
内容器３３は、筒状の胴部３３ａ、その上端に設けられたテーパー状の肩部３３ｂと、その上端に設けられた筒状の首部３３ｃとからなるチューブ容器である。胴部３３ａの下端は、外容器３２の胴部１６ａの下端に挟まれるようにして、外容器３２と一体となっている。内容器３３としては、ポリエチレンなどの合成樹脂、アルミニウムなどの軽金属等から成形され、加圧剤の圧力により収縮しやすくするために、外容器３２よりも柔らかいものを用いることが好ましい。
弁座３４は、下端外周が内容器３３を受け入れる内容器連結部３４ａとなっている。他の構成は、図１の吐出容器１０と実質的に同じであり、フランジ部１７ａ、段部１７ｂを備えている。そして、外容器３２の首部１６ｃと弁座３４によって容器３１の開口部が形成され、この段部１７ｂの中心孔が容器３１の開口孔となる。
【００１９】
このように構成された吐出容器３０は、図１の吐出容器１０と実質的に同じように繰り返し使用できる。つまり、キャップ１２を容器３１に対して下に向かって螺進させることにより弁体１３がキャップ１２と容器３１の開口部との間で容器３１の開口孔を閉じて固定される（閉鎖状態）。次いで、キャップ１２を開くように上に向かって回転させることによりキャップ１２と容器３１の開口部との間の空間が拡張され、弁体１３が開放される（開放状態）。これにより、原液Ｓを吐出孔２０から吐出できる。また、吐出容器１０と同様に、シール材１４は外容器３２の首部とキャップ１２の円筒部との間でシール構造を保つため、キャップ１２の下端から内容物が液漏れすることながない。なお、弁体１３は、外部から内容器内への流体の流れを阻止する逆止弁の効果も奏するため、内容器３３は原液が吐出されるに伴って潰れる。そのため、例えば、外容器３２を透明または半透明とすることにより、内容器の変形が目視でき、残量を確認することができる。
【００２０】
図４の吐出容器４０は、容器４１が硬質材料によって成形されている。他の構成は、図１の吐出容器１０と実質的に同じであり、弁体１３、シール材１４を備えている。
容器４１は、硬質な容器本体４４と、その容器本体４４を閉じるようにして挿入される弁座１７とを備えている。弁座１７は、図１の吐出容器１０と実質的に同じものである。
容器本体４４は、筒状の胴部４４ａ、胴部の下端を閉じる底部４４ｂと、胴部の上端に設けられたテーパー状の肩部４４ｃと、その上端に設けられた筒状の首部４４ｄとからなる硬質な容器である。首部４４ｄの外周には、外周突起１８が螺旋状に形成されており、その下方にシール材１４を保持するシール係止部１９が形成されている。シール係止部１９は、シール材１４を上下で挟むように環状に形成された２本の環状突起１９ａからなる。
このような容器本体４４は、ポリエチレンテレフタレート、ポリブチレンテレフタレート等の合成樹脂、あるいは、アルミニウム等の軽金属から成形される。例えば、合成樹脂材料を射出成型にてプリフォームとし、さらにそのプリフォームを二軸延伸ブロー成型にて成形することができる。また、アルミニウムなどの金属スラグをインパクト成形により筒状体とし、絞り加工あるいは絞りしごき加工により成形してもよい。
【００２１】
キャップ４２は、上底の４２ａの上面に、上方に延びる支持棒４６が複数形成されている。この支持棒４６は、吐出対象物に対して押し付け、支持棒４６の先端と吐出対象物との摩擦によってキャップ４２を回転させるための補助部になる。他の構成は、図１の吐出容器１０と実質的に同じであり、支持部２１、内周突起２２、円筒部２３を有している。
【００２２】
このように構成された吐出容器４０も、実質的に図１の吐出容器１０と同様に使用できる。つまり、閉鎖状態の吐出容器４０の支持棒４６の先端を頭、首、肩等の吐出対象物に押し付け、その先端と吐出対象物との摩擦を利用して、キャップ４２が容器４１に対して上に向かうように回転させ、吐出容器４０を開放状態にする（図４ｂ参照）。これにより、内容物Ｃが吐出孔２０から吐出される。また、図１の吐出容器１０と同様に、シール材１４は容器本体４４の首部４４ｄとキャップ４２の円筒部２３との間でシール構造を保つため、キャップ４２の下端から内容物が液漏れすることがない。
【００２３】
図５の吐出容器５０は、シール材１４の保持位置を変更したものであり、シール材１４を容器とキャップの装着部より上方に設けている。詳しくは、容器５１と、その容器５１の開口部を覆うようにして装着されるキャップ５２と、弁体１３、シール材１４とを有する。弁体１３およびシール材１４は図１の吐出容器１０と実質的に同じである。
容器５１は、硬質な容器本体５４と、その容器本体５４を閉じるようにして挿入される弁座１７とを備えている。弁座１７は、図１の吐出容器１０と実質的に同じものである。容器本体５４は、首部４４ｄの外周突起１８の上方にシール材１４を保持するシール係止部５５が形成されている。シール係止部５５は、首部４４ｄに形成された環状凹部からなる。なお、図１または図４の吐出容器のように環状突起を設けてもよい。他の構成は、図４の容器本体４４と実質的に同じである。
キャップ５２は、内面の内周突起２２の上方に鉛直方向に真っ直ぐに延びた円筒部５６が形成されている。他の構成は、図１の吐出容器１０と実質的に同じであり、吐出孔２０、支持部２１が設けられている。
【００２４】
このように構成された吐出容器５０も、実質的に図１の吐出容器１０と同様に使用できる。つまり、キャップ５２を容器５１に対して上に向かうように回転させ、吐出容器５０を開放状態にする（図５ｂ参照）。また、吐出容器１０と同様に、シール材１４は容器本体５４のシール係止部５５とキャップ５２の円筒部５６との間でシール構造を保つため、キャップ５２の下端から内容物が液漏れすることがない。吐出容器５０は、シール材１４の保持位置をネジ構造（容器とキャップの装着部）より上方に設けているため、あるいは、シール材の保持位置を容器の開口部と容器とキャップの装着部の間に設けているため、容器５１の上端とシール材１４との間の距離が小さくなり、内容物が容器５１の開口部に溜まりにくく、無駄なく吐出することができる。
【００２５】
図６の吐出容器６０は、容器６１とキャップ６２とがクリップ嵌合で結合されたものである。他の構成は図１の吐出容器１０と実質的に同じであり、弁体１３、シール材１４を備えている。
容器６１は、容器本体６３と弁座１７とを備えている。弁座１７は、図１の吐出容器１０の弁座１７と実質的に同じものである。容器本体６３の首部１６ｃの外周に半径方向外側に突出する環状の外突起６３ａが形成されている。外突起６３ａは、上面および下面が傾斜しており、断面が略二等辺三角形状を呈している。また、外突起６３ａの下方に、半径方向外側に突出する外係止突起６３ｂが形成されている。外係止突起６３ｂは、下面が水平面であり、上面が傾斜面となっており、断面が略直角三角形状を呈している。他の構成は図１の吐出容器１０の容器本体１６と実質的に同じものである。
キャップ６２は、内面に半径方向内側に突出する環状の内突起６２ａが形成されている。内突起６２ａは、上面および下面が傾斜しており、断面が略二等辺三角形状を呈している。内突起６２ａの下方に、半径方向内側に突出する内係止突起６２ｂが形成されている。内係止突起６２ｂは、下面が傾斜面であり、上面が水平面であり、断面が略直角三角形状を呈している。他の構成は図１のキャップ１２と実質的に同じである。
【００２６】
このように構成されているため、図６ａに示すように、弁体１３を固定する閉鎖状態では、内突起６２ａの上面が外突起６３ａの下面と接触して、キャップ６２が上側に移動しないように係合され、外係止突起６３ｂの水平面と内係止突起６２ｂの水平面とは離間している。一方、キャップ６２に上方向の外力を加えて上側に移動させた弁体１３が開放される開放状態では、内突起６２ａが外突起６３ａを乗り越えるが、外係止突起６３ｂの水平面と内係止突起６２ｂの水平面とが当接し、キャップ６２が内容物Ｃの圧力を受けても容器６１から外れないようにロックされる（セーフロック）。そのため、安全に内容物の吐出操作ができる。
なおセーフロックは、図１〜図５の吐出容器にも採用することができる。詳しくは、螺旋状に形成された外周突起１８および内周突起２２の下方または上方に設けることにより実現できる。
【符号の説明】
【００２７】
Ｃ：  内容物
Ｓ：  原液
Ｐ：  加圧剤
１０  吐出容器
１１  容器
１２  キャップ
１２ａ  上底
１３  弁体
１４  シール材
１６  容器本体
１６ａ  胴部
１６ｂ  肩部
１６ｃ  首部
１７  弁座
１７ａ  フランジ部
１７ｂ  環状の段部
１８  外周突起
１９  シール係止部
１９ａ  環状の突起
２０  吐出孔
２１  支持部
２１ａ  スリット
２２  内周突起
２３  円筒部
３０  吐出容器
３１  容器
３２  外容器
３３  内容器
３３ａ  胴部
３３ｂ  肩部
３３ｃ  首部
３４  弁座
３４ａ  内容器連結部
４０  吐出容器
４１  容器
４２  キャップ
４２ａ  上底
４４  容器本体
４４ａ  胴部
４４ｂ  底部
４４ｃ  肩部
４４ｄ  首部
４６  支持棒
５０  吐出容器
５１  容器
５２  キャップ
５４  容器本体
５５  シール係止部
５６  円筒部
６０  吐出容器
６１  容器
６２  キャップ
６２ａ  内突起
６２ｂ  内係止突起
６３  容器本体
６３ａ  外突起
６３ｂ  外係止突起
【図１】
0006471960.tif 000002
【図２】
0006471960.tif 000003
【図３】
0006471960.tif 000004
【図４】
0006471960.tif 000005
【図５】
0006471960.tif 000006
【図６】
0006471960.tif 000007